(57)【要約】【課題】浴室換気乾燥装置において、暖房、換気、乾燥機能と常時換気機能を両立、かつ同時性を確保すると同時に装置の運転による冷風感を防止、すなわち快適性を確保可能とすることを目的としている。【解決手段】浴室１の中の空気を屋外に排出する換気ファン１と、浴室１の中の空気を循環させる循環ファン３と、循環させる空気を加熱するコイル４と、循環ファン３及びコイル４を選択的に駆動して暖房、換気、乾燥等の通常運転と、前記通常運転とは個別、あるいは併用する常時換気運転とを行なうことを可能とした浴室換気乾燥装置において、通常運転あるいは常時換気運転による冷風感を防止する冷風防止手段６を備える構成とする。【選択図】図１
2007205626.tif 000002
【特許請求の範囲】
【請求項１】
浴室内の空気を屋外に排出する浴室換気用送風機と、前記浴室内の空気を循環させる循環用送風機と、前記循環させる空気を加熱する加熱装置と、前記循環用送風機及び前記加熱装置を選択的に駆動して暖房、換気、乾燥等の通常運転と、前記通常運転とは個別、あるいは併用する常時換気運転とを行なうことを可能とした浴室換気乾燥装置において、通常運転あるいは常時換気運転による冷風感を防止する冷風防止手段を備えたことを特徴とする浴室換気乾燥装置。
【請求項２】
冷風防止手段は、常時換気を行なう際に換気運転を断続的又は連続的に制御することを特徴とする請求項１記載の浴室換気乾燥装置。
【請求項３】
冷風防止手段は、暖房運転の開始時に常時換気を規定時間停止することを特徴とする請求項１の浴室換気乾燥装置。
【請求項４】
停止中の運転スイッチ操作回数に応じて、常時換気の停止運転を繰り返すことを特徴とする請求項１記載の浴室換気乾燥装置。
【請求項５】
常時換気中に運転スイッチの連続押下時間が規定時間を超えた際に、一定時間常時換気を停止させることを特徴とする請求項１記載の浴室換気乾燥装置。
【請求項６】
常時換気の停止中に運転スイッチの連続押下時間が規定時間を超えた際に、常時換気の停止時間を延長することを特徴とする請求項１記載の浴室換気乾燥装置。
【請求項７】
常時換気の停止中に強制的に常時換気を再開する常時換気復帰手段を備えたことを特徴とする請求項１記載の浴室換気乾燥装置。
【請求項８】
冷風防止手段は、常時換気を行なう際に換気風量を減少させるようにしたことを特徴とする請求項１記載の浴室換気乾燥装置。
【請求項９】
冷風防止手段は、暖房運転の開始時に常時換気の換気風量を規定時間減少することを特徴とする請求項１の浴室換気乾燥装置。
【請求項１０】
冷風防止手段は、暖房運転の停止から所定時間経過後に常時換気の換気風量を規定風量に変更することを特徴とする請求項１記載の浴室換気乾燥装置。
【請求項１１】
停止中の運転スイッチ操作回数に応じて、常時換気の換気風量の減少あるいは増加を繰り返すことを特徴とする請求項１記載の浴室換気乾燥装置。
【請求項１２】
常時換気中に運転スイッチの連続押下時間が規定時間を超えた際に、一定時間常時換気を減少させることを特徴とする請求項１記載の浴室換気乾燥装置。
【請求項１３】
常時換気の換気風量を減少させている際に、運転スイッチの連続押下時間が規定時間を超えた場合、常時換気の換気風量の減少させる時間を延長することを特徴とする請求項１記載の浴室換気乾燥装置。
【請求項１４】
常時換気の換気風量を減少させている際に、常時換気の換気風量を規定風量に強制的に変更する風量復帰手段を備えたことを特徴とする請求項１記載の浴室換気乾燥装置。
【発明の詳細な説明】
【技術分野】
【０００１】
本発明は、浴室内を暖房、換気、乾燥し、同時あるいは個別に常時換気する浴室換気乾燥装置の運転方法に関する。
【背景技術】
【０００２】
近年、一般家庭の浴室の空調に関する多様化が進んでおり、種々の機能性が追求されていると同時に、その弊害として常時換気運転をしている際に入浴した場合、冷風感を感じるなどの課題が生じており、機能性と快適性の両立が求められている。
【０００３】
従来、この種の浴室空調装置は、暖房、換気、乾燥等の運転を行なうと共に、各種空調モードの換気モードとは別に、断続的または連続的に換気運転を行う第２換気モードを備えてなるものが知られている（例えば、特許文献１参照）。
【０００４】
以下、その特許文献１における浴室空調装置について図２１を参照しながら説明する。
【０００５】
図に示すように、浴室空調装置は、浴室内の空気を屋外に排出する浴室換気用送風機１０１と、前記浴室内の空気を循環させる循環用送風機１０２と、前記循環空気を加熱する加熱装置１０３で構成されている。これらの各機器を選択的に駆動して暖房、換気、乾燥等の運転を行うとともに、各種空調、第２換気モードに各種第２換気モード時に各種空調モードになるときは、第２換気モードを中断し、各種空調モードが終了した後に、一定時間換気を停止し、再度第２換気モードを開始するようにしている。
【０００６】
また、タイマーを持った浴室空調装置では、設定した時間に運転停止を行うように構成していた。
【特許文献１】特開２０００−２１０１５１号公報（第１図）
【発明の開示】
【発明が解決しようとする課題】
【０００７】
このような従来の浴室空調装置は、タイマーにより時間で運転モードを分割する構成となっており、浴室内の暖房、換気、乾燥の選択を行なうのみで入浴者の快適性、同時性は満たされないという課題があり、暖房、換気、乾燥機能と常時換気機能の両立、かつ同時性を確保することが求められている。
【０００８】
本発明は、このような従来の課題を解決するものであり、暖房、換気、乾燥機能と常時換気機能を両立、かつ同時性を確保することを可能とした浴室換気乾燥装置を提供することを目的としている。
【課題を解決するための手段】
【０００９】
本発明の浴室換気乾燥装置は上記目的を達成するために、浴室内の空気を屋外に排出する浴室換気用送風機と、前記浴室内の空気を循環させる循環用送風機と、前記循環させる空気を加熱する加熱装置と、前記循環用送風機及び前記加熱装置を選択的に駆動して暖房、換気、乾燥等の通常運転と、前記通常運転とは個別、あるいは併用する常時換気運転とを行なうことを可能とした浴室換気乾燥装置において、通常運転あるいは常時換気運転による冷風感を防止する冷風防止手段を備える構成としたものである。
【００１０】
この手段により、入浴中であっても暖房、換気、乾燥等の通常運転と常時換気運転を個別あるいは併用して運転することを可能とし、入浴者の通常運転あるいは常時換気による冷風感などを防止することができる。
【００１１】
また、冷風防止手段は、常時換気を行なう際に換気運転を断続的又は連続的に制御するような構成としたものである。
【００１２】
この手段により、常時換気を断続的に行なうことで、必要となる換気風量を確保すると同時に、冷風感を防止することができる。
【００１３】
さらに、冷風防止手段は、暖房運転の開始時に常時換気を規定時間停止するような構成としたものである。
【００１４】
この手段により、暖房運転開始時の温度立上り速度を向上させることで、入浴時の冷風感などを防止することができる。
【００１５】
また、停止中の運転スイッチ操作回数に応じて、常時換気の停止運転を繰り返すような構成としたものである。
【００１６】
この手段により、常時換気の単機能運転、あるいは停止を可能とすることができ、省エネルギー化を図ることができる。
【００１７】
さらに、常時換気中に運転スイッチの連続押下時間が規定時間を超えた際に、一定時間常時換気を停止させるような構成としたものである。
【００１８】
この手段により、冷風感を感じた時、あるいは必要性がなくなったと使用者が判断した時に、応急的に常時換気を停止することができる。
【００１９】
また、常時換気の停止中に運転スイッチの連続押下時間が規定時間を超えた際に、常時換気の停止時間を延長するような構成としたものである。
【００２０】
この手段により、長時間の入浴など使用者の使い方、あるいは冷風感の個人差による弊害防止を可能とすることができる。
【００２１】
さらに、常時換気の停止中に強制的に常時換気を再開する常時換気復帰手段を備える構成としたものである。
【００２２】
この手段により、浴室からの退室時など、常時換気停止から強制的に切り換えることを可能とし、より迅速に冷風感を防止するための快適性向上制御から機能性向上運転へ強制切換を可能とすることができる。
【００２３】
また、冷風防止手段は、常時換気を行なう際に換気風量を減少させるような構成としたものである。
【００２４】
この手段により、常時換気の換気風量を一時的に減少させることで、必要となる換気風量を確保すると同時に、冷風感を防止することができる。
【００２５】
さらに、冷風防止手段は、暖房運転の開始時に常時換気の換気風量を規定時間減少するような構成としたものである。
【００２６】
この手段により、暖房運転開始時の温度立上り速度を向上することを可能とし、入浴時の冷風感を防止することができる。
【００２７】
また、冷風防止手段は、暖房運転の停止から所定時間経過後に常時換気の換気風量を規定風量に変更するような構成としたものである。
【００２８】
この手段により、浴室からの退室時などの暖房運転停止において、自動で換気風量を規定換気風量まで戻すことができる。
【００２９】
さらに、停止中の運転スイッチ操作回数に応じて、常時換気の換気風量の減少あるいは増加を繰り返すような構成としたものである。
【００３０】
この手段により、常時換気風量を強制的に増減することができる構成とすることができ、使用者の好みや使い方に応じた換気を行なうことができる。
【００３１】
また、常時換気中に運転スイッチの連続押下時間が規定時間を超えた際に、一定時間常時換気を減少させるような構成としたものである。
【００３２】
この手段により、一時的に常時換気風量を減少させることができる構成とすることができ、使用者の好みや使い方に応じた換気を行なうことができる。
【００３３】
さらに、常時換気の換気風量を減少させている際に、運転スイッチの連続押下時間が規定時間を超えた場合、常時換気の換気風量の減少させる時間を延長するような構成としたものである。
【００３４】
この手段により、常時換気風量の減少させる時間を任意に変更することができる構成とすることができ、使用者の好みや使い方に応じた換気を行なうことができる。
【００３５】
また、常時換気の換気風量を減少させている際に、常時換気の換気風量を規定風量に強制的に変更する風量復帰手段を備える構成としたものである。
【００３６】
この手段により、常時換気風量の減少させている状態から、迅速に規定風量に戻すことを可能とし、浴室から退室時などの浴室内の湿気の拡散の抑制することができる。
【発明の効果】
【００３７】
本発明によれば、浴室内の空気を屋外に排出する浴室換気用送風機と、前記浴室内の空気を循環させる循環用送風機と、前記循環させる空気を加熱する加熱装置と、前記循環用送風機及び前記加熱装置を選択的に駆動して暖房、換気、乾燥等の通常運転と、前記通常運転とは個別、あるいは併用する常時換気運転とを行なうことを可能とした浴室換気乾燥装置において、通常運転あるいは常時換気運転による冷風感を防止する冷風防止手段を備える構成とすることで、入浴中であっても暖房、換気、乾燥等の通常運転と常時換気運転を個別あるいは併用して運転することを可能とし、入浴者の通常運転あるいは常時換気による冷風感などを防止することができるという効果のある浴室換気乾燥装置を提供できる。
【００３８】
また、冷風防止手段は、常時換気を行なう際に換気運転を断続的又は連続的に制御するような構成とすることで、必要となる換気風量を確保すると同時に、冷風感を防止することができるという効果のある浴室換気乾燥装置を提供できる。
【００３９】
さらに、冷風防止手段は、暖房運転の開始時に常時換気を規定時間停止するような構成とすることで、暖房運転開始時の温度立上り速度を向上でき、入浴時の冷風感などを防止することができるという効果のある浴室換気乾燥装置を提供できる。
【００４０】
また、停止中の運転スイッチ操作回数に応じて、常時換気の停止運転を繰り返すような構成とすることで、常時換気の単機能運転、あるいは停止を可能とすることができ、省エネルギー化を図ることができるという効果のある浴室換気乾燥装置を提供できる。
【００４１】
さらに、常時換気中に運転スイッチの連続押下時間が規定時間を超えた際に、一定時間常時換気を停止させるような構成とすることで、冷風感を感じた時、あるいは必要性がなくなったと使用者が判断した時に、応急的に常時換気を停止することができるという効果のある浴室換気乾燥装置を提供できる。
【００４２】
また、常時換気の停止中に運転スイッチの連続押下時間が規定時間を超えた際に、常時換気の停止時間を延長するような構成とすることで、長時間の入浴など使用者の使い方、あるいは冷風感の個人差による弊害防止を可能とすることができるという効果のある浴室換気乾燥装置を提供できる。
【００４３】
さらに、常時換気の停止中に強制的に常時換気を再開する常時換気復帰手段を備える構成とすることで、浴室からの退室時など、常時換気停止から強制的に切り換えることを可能とし、より迅速に冷風感を防止するための快適性向上制御から機能性向上運転へ強制切換を可能とすることができるという効果のある浴室換気乾燥装置を提供できる。
【００４４】
また、冷風防止手段は、常時換気を行なう際に換気風量を減少させるような構成とすることで、常時換気の換気風量を一時的に減少させ、必要となる換気風量を確保すると同時に、冷風感を防止することができるという効果のある浴室換気乾燥装置を提供できる。
【００４５】
さらに、冷風防止手段は、暖房運転の開始時に常時換気の換気風量を規定時間減少するような構成とすることで、暖房運転開始時の温度立上り速度を向上することを可能とし、入浴時の冷風感を防止することができるという効果のある浴室換気乾燥装置を提供できる。
【００４６】
また、冷風防止手段は、暖房運転の停止から所定時間経過後に常時換気の換気風量を規定風量に変更するような構成とすることで、浴室からの退室時などの暖房運転停止において、自動で換気風量を規定換気風量まで戻すことができるという効果のある浴室換気乾燥装置を提供できる。
【００４７】
さらに、停止中の運転スイッチ操作回数に応じて、常時換気の換気風量の減少あるいは増加を繰り返すような構成とすることで、常時換気風量を強制的に増減し、使用者の好みや使い方に応じた換気を行なうことができるという効果のある浴室換気乾燥装置を提供できる。
【００４８】
また、常時換気中に運転スイッチの連続押下時間が規定時間を超えた際に、一定時間常時換気を減少させるような構成とすることで、一時的に常時換気風量を減少させ、使用者の好みや使い方に応じた換気を行なうことができるという効果のある浴室換気乾燥装置を提供できる。
【００４９】
さらに、常時換気の換気風量を減少させている際に、運転スイッチの連続押下時間が規定時間を超えた場合、常時換気の換気風量の減少させる時間を延長するような構成とすることで、常時換気風量の減少させる時間を任意に変更することができ、使用者の好みや使い方に応じた換気を行なうことができるという効果のある浴室換気乾燥装置を提供できる。
【００５０】
また、常時換気の換気風量を減少させている際に、常時換気の換気風量を規定風量に強制的に変更する風量復帰手段を備える構成とすることで、常時換気風量の減少させている状態から、迅速に規定風量に戻すことを可能とし、浴室から退室時などの浴室内の湿気の拡散の抑制することができるという効果のある浴室換気乾燥装置を提供できる。
【発明を実施するための最良の形態】
【００５１】
本発明の請求項１記載の発明は、浴室内の空気を屋外に排出する浴室換気用送風機と、前記浴室内の空気を循環させる循環用送風機と、前記循環させる空気を加熱する加熱装置と、前記循環用送風機及び前記加熱装置を選択的に駆動して暖房、換気、乾燥等の通常運転と、前記通常運転とは個別、あるいは併用する常時換気運転とを行なうことを可能とした浴室換気乾燥装置において、通常運転あるいは常時換気運転による冷風感を防止する冷風防止手段を備える構成としたものであり、入浴中であっても暖房、換気、乾燥等の通常運転と常時換気運転を個別あるいは併用して運転することを可能とし、換気の断続運転により換気量が減少し換気による冷風の流入を防止することができ、入浴者の通常運転あるいは常時換気による冷風感などを防止することができるという作用を有する。
【００５２】
また、冷風防止手段は、常時換気を行なう際に換気運転を断続的又は連続的に制御するような構成としたものであり、必要となる換気風量を確保すると同時に、必要以上に換気することなく、不必要な換気による冷風の流入を防止でき、冷風感を防止することができるという作用を有する。
【００５３】
さらに、冷風防止手段は、暖房運転の開始時に常時換気を規定時間停止するような構成としたものであり、暖房運転の開始時の換気による冷風の流入を防止し、暖房運転開始時の温度立上り速度を向上でき、入浴時の冷風感などを防止することができるという作用を有する。
【００５４】
また、停止中の運転スイッチ操作回数に応じて、常時換気の停止運転を繰り返すような構成としたものであり、常時換気の単機能運転、あるいは停止を可能とすることができ、省エネルギー化を図ることができるという作用を有する。
【００５５】
さらに、常時換気中に運転スイッチの連続押下時間が規定時間を超えた際に、一定時間常時換気を停止させるような構成としたものであり、冷風感を感じた時、あるいは必要性がなくなったと使用者が判断した時に、応急的に常時換気を停止することができるという作用を有する。
【００５６】
また、常時換気の停止中に運転スイッチの連続押下時間が規定時間を超えた際に、常時換気の停止時間を延長するような構成としたものであり、長時間の入浴など使用者の使い方、あるいは冷風感の個人差による弊害防止を可能とすることができるという作用を有する。
【００５７】
さらに、常時換気の停止中に強制的に常時換気を再開する常時換気復帰手段を備える構成としたものであり、浴室からの退室時など、常時換気停止から強制的に切り換えることを可能とし、より迅速に冷風感を防止するための快適性向上制御から機能性向上運転へ強制切換を可能とすることができるという作用を有する。
【００５８】
また、冷風防止手段は、常時換気を行なう際に換気風量を減少させるような構成としたものであり、常時換気の換気風量を一時的に減少させ、必要となる換気風量を確保すると同時に、冷風感を防止することができるという作用を有する。
【００５９】
さらに、冷風防止手段は、暖房運転の開始時に常時換気の換気風量を規定時間減少するような構成としたものであり、暖房運転開始時の温度立上り速度を向上することを可能とし、入浴時の冷風感を防止することができるという作用を有する。
【００６０】
また、冷風防止手段は、暖房運転の停止から所定時間経過後に常時換気の換気風量を規定風量に変更するような構成としたものであり、浴室からの退室時などの暖房運転停止において、自動で換気風量を規定換気風量まで戻すことができるという作用を有する。
【００６１】
さらに、停止中の運転スイッチ操作回数に応じて、常時換気の換気風量の減少あるいは増加を繰り返すような構成としたものであり、常時換気風量を強制的に増減し、使用者の好みや使い方に応じた換気を行なうことができるという作用を有する。
【００６２】
また、常時換気中に運転スイッチの連続押下時間が規定時間を超えた際に、一定時間常時換気を減少させるような構成としたものであり、一時的に常時換気風量を減少させ、使用者の好みや使い方に応じた換気を行なうことができるという作用を有する。
【００６３】
さらに、常時換気の換気風量を減少させている際に、運転スイッチの連続押下時間が規定時間を超えた場合、常時換気の換気風量の減少させる時間を延長するような構成としたものであり、常時換気風量の減少させる時間を任意に変更することができ、使用者の好みや使い方に応じた換気を行なうことができるという作用を有する。
【００６４】
また、常時換気の換気風量を減少させている際に、常時換気の換気風量を規定風量に強制的に変更する風量復帰手段を備える構成としたものであり、常時換気風量の減少させている状態から、迅速に規定風量に戻すことを可能とし、浴室から退室時などの浴室内の湿気の拡散の抑制することができるという作用を有する。
【００６５】
以下、本発明の実施の形態について図面を参照しながら説明する。
【００６６】
（実施の形態１）
図１は、本実施の形態１における浴室換気乾燥装置の構成図を示す。
【００６７】
図１に示すように、浴室１内の空気を屋外に排出する浴室換気用送風機としての換気ファン２と、浴室１内の空気を循環させる循環用送風機としての循環ファン３と、循環させる空気を加熱する加熱装置としてのコイル４と、循環ファン３及びコイル４を選択的に駆動して暖房、換気、乾燥等の通常運転と、前記通常運転とは個別、あるいは併用する常時換気運転を切り換える制御部５と、通常運転あるいは常時換気運転による冷風感を防止する冷風防止手段６を備えている。
【００６８】
次に冷風防止手段６のフローチャートについて図２を参照しながら説明する。
【００６９】
図２に示すように、冷風防止手段６は、常時換気モードを選択されているか否かを入力する。入力した結果、常時換気モードが他の運転モードと併用動作している場合は、換気運転を断続運転するように換気ファン２を駆動する。併用動作していない場合は、換気運転を連続運転するように換気ファン２を駆動する。
【００７０】
以上のように、本実施の形態１によれば、換気ファン２を逐次、連続あるいは断続運転することで、換気の断続運転により換気量が減少し換気による冷風の流入を防止することができ、冷風感を防止することができる。
【００７１】
なお、加熱装置はコイル４を使用するとしたが、各種ヒーターを使用しても作用効果に差異はない。
【００７２】
（実施の形態２）
図３は、本実施の形態２における浴室換気乾燥装置の構成図を示す。
【００７３】
図３に示すように、浴室１内の空気を屋外に排出する浴室換気用送風機としての換気ファン２と、浴室１内の空気を循環させる循環用送風機としての循環ファン３と、循環させる空気を加熱する加熱装置としてのコイル４と、循環ファン３及びコイル４を選択的に駆動して暖房、換気、乾燥等の通常運転と、前記通常運転とは個別、あるいは併用する常時換気運転を切り換える制御部５と、暖房運転の開始時の冷風感を防止する冷風防止手段６ｂを備えている。
【００７４】
次に冷風防止手段６ｂのフローチャートについて図４を参照しながら説明する。
【００７５】
図４に示すように、冷風防止手段６ｂは、暖房運転の開始か否かを入力する。入力した結果、その他運転モードから暖房運転に移行、あるいは停止から暖房運転に移行した場合は、換気運転を停止するように換気ファン２を停止する。暖房運転が開始されていない場合は、換気運転を連続運転するように換気ファン２を駆動する。
【００７６】
以上のように、本実施の形態２によれば、換気ファン２を暖房運転開始時に停止することで、暖房運転の開始時の換気による冷風の流入を防止し、暖房運転開始時の冷風感を防止することができることとなる。
【００７７】
（実施の形態３）
図５は、本実施の形態３における浴室換気乾燥装置の構成図を示す。
【００７８】
図５に示すように、浴室１内の空気を屋外に排出する浴室換気用送風機としての換気ファン２と、浴室１内の空気を循環させる循環用送風機としての循環ファン３と、循環させる空気を加熱する加熱装置としてのコイル４と、循環ファン３及びコイル４を選択的に駆動して暖房、換気、乾燥等の通常運転と、前記通常運転とは個別、あるいは併用する常時換気運転を切り換える制御部５と、運転あるいは停止を切換える運転スイッチ７と、運転スイッチ７の操作回数をカウントする運転切換手段８を備えている。
【００７９】
次に運転切換手段８のフローチャートについて、図６を参照しながら説明する。
【００８０】
図６に示すように、運転切換手段８は、運転スイッチ７のオンオフ操作を入力する。入力した運転スイッチ７の押下回数が奇数回であった場合は常時換気運転するように制御部５に出力する。運転スイッチ７の押下回数が偶数回であった場合は常時換気を停止するように制御部５に出力する。
【００８１】
以上のように、本実施の形態３によれば、運転スイッチ７の押下回数に応じて常時換気の運転あるいは停止することとなる。
【００８２】
（実施の形態４）
図７は、本実施の形態４における浴室換気乾燥装置の構成図を示す。
【００８３】
図７に示すように、浴室１内の空気を屋外に排出する浴室換気用送風機としての換気ファン２と、浴室１内の空気を循環させる循環用送風機としての循環ファン３と、循環させる空気を加熱する加熱装置としてのコイル４と、循環ファン３及びコイル４を選択的に駆動して暖房、換気、乾燥等の通常運転と、前記通常運転とは個別、あるいは併用する常時換気運転を切り換える制御部５と、運転あるいは停止を切換える運転スイッチ７と、常時換気中に運転スイッチ７の連続押下時間が規定時間（例えば２〜３秒）を超えた際に、一定時間常時換気を停止させ、常時換気の停止中に運転スイッチ７の連続押下時間が規定時間を超えた際に、常時換気の停止時間を延長する運転切換手段８ｂを備えている。ここで連続押下時間を０〜２秒に設定するとスイッチのチャタリングや使用者が誤って触れた場合などにも作動することとなり、また３秒以上に設定すると使用者の負担となるためである。
【００８４】
次に運転切換手段８ｂのフローチャートについて、図８を参照しながら説明する。
【００８５】
図８に示すように、運転切換手段８ｂは、常時換気がされているか否かを入力する。さらに、運転スイッチ７のオンオフ操作を入力する。入力した運転スイッチ７のオン時間が規定時間（例えば２〜３秒）以上、継続して押下されて場合、各常時換気中であるか否かに応じて処理を行なう。常時換気中に押下時間が規定時間以上であった場合、所定時間（例えば１０分）常時換気を停止させるように制御部５へ出力する。また、常時換気が停止している際に押下時間が規定時間以上であった場合は、常時換気の停止時間を所定時間（例えば１０分）常時換気の停止時間を延長するように制御部５に出力する。ここで各所定時間（例えば１０分）は、設定解除の消し忘れ防止を考慮した時間設定である。
【００８６】
以上のように、本実施の形態４によれば、運転スイッチ７の連続押下時間に応じて常時換気の一時的な運転及び運転時間を制御することとなる。
【００８７】
（実施の形態５）
図９は、本実施の形態５における浴室換気乾燥装置の構成図を示す。
【００８８】
図９に示すように、浴室１内の空気を屋外に排出する浴室換気用送風機としての換気ファン２と、浴室１内の空気を循環させる循環用送風機としての循環ファン３と、循環させる空気を加熱する加熱装置としてのコイル４と、循環ファン３及びコイル４を選択的に駆動して暖房、換気、乾燥等の通常運転と、前記通常運転とは個別、あるいは併用する常時換気運転を切り換える制御部５と、常時換気の停止中に強制的に常時換気を再開する常時換気復帰手段としての強制スイッチ９を備えている。強制スイッチ９は、使用者が押下した際に制御部５に対して接点信号を出力する。出力した強制スイッチ９からの接点信号に応じて、制御部５は換気ファン２を運転させる。
【００８９】
以上のように、本実施の形態５によれば、強制スイッチ９の押下により換気ファン２を駆動させることとなる。
【００９０】
（実施の形態６）
図１０は、本実施の形態６における浴室換気乾燥装置の構成図を示す。
【００９１】
図１０に示すように、浴室１内の空気を屋外に排出する浴室換気用送風機としての換気ファン２と、浴室１内の空気を循環させる循環用送風機としての循環ファン３と、循環させる空気を加熱する加熱装置としてのコイル４と、循環ファン３及びコイル４を選択的に駆動して暖房、換気、乾燥等の通常運転と、前記通常運転とは個別、あるいは併用する常時換気運転を切り換える制御部５と、常時換気を行なう際に換気風量を減少させるように制御する冷風防止手段６ｃを備えている。
【００９２】
次に冷風防止手段６ｃのフローチャートについて図１１を参照しながら説明する。
【００９３】
図１１に示すように、冷風防止手段６ｃは、常時換気モードを選択されているか否かを入力する。入力した結果、常時換気モードが選択された場合は、乾燥モードと併用されて予め設定した換気量（例えば２０ｍ３／ｈ）を上回る換気量制御を行なっていても、設定した換気量（２０ｍ３／ｈ）になるように換気ファン２を制御する。
【００９４】
以上のように、本実施の形態６によれば、常時換気を行なう際に換気風量を低減することができる。
【００９５】
（実施の形態７）
図１２は、本実施の形態７における浴室換気乾燥装置の構成図を示す。
【００９６】
図１２に示すように、浴室１内の空気を屋外に排出する浴室換気用送風機としての換気ファン２と、浴室１内の空気を循環させる循環用送風機としての循環ファン３と、循環させる空気を加熱する加熱装置としてのコイル４と、循環ファン３及びコイル４を選択的に駆動して暖房、換気、乾燥等の通常運転と、前記通常運転とは個別、あるいは併用する常時換気運転を切り換える制御部５と、暖房運転の開始時に常時換気の換気風量を規定時間（例えば５分間）減少させ、暖房運転の停止から所定時間経過後に常時換気の換気風量を規定風量に変更する冷風防止手段６ｄを備えている。規定時間の５分間は、コイル４の温度が所定温度になるまでの遅れを考慮した時間であり、瞬時に加熱可能な加熱装置であればより短時間であってもよい。
【００９７】
次に冷風防止手段６ｄのフローチャートについて図１３を参照しながら説明する。
【００９８】
図１３に示すように、冷風防止手段６ｄは、既に暖房運転モードを選択されているか否かを入力する。入力した結果、既に暖房運転モードが選択されていた場合は、暖房運転モードを停止したか否か判断する。判断した結果、停止信号を受けていなければそのまま処理を抜け、新たに停止信号を受けていればその時点から時間カウントを開始する。カウントした時間が所定時間（例えば１０分）経過した場合、常時換気の換気風量を規定風量（例えば２０ｍ３／ｈ）に変更する。また、暖房運転モードが選択されているか否か入力した結果、暖房運転モードが選択されていなかった場合は、暖房運転モードが新規に選択されたか否かを判断する。判断した結果、運転信号を新たに受けていなければそのまま処理を抜け、新たに運転信号を受けていれば、その時点から時間カウントを開始すると同時に常時換気風量を規定風量（例えば１０ｍ３／ｈ）に減少させ。その後カウントした時間が所定時間（例えば５分）経過した場合、常時換気風量を所定風量（２０ｍ３／ｈ）に戻す処理を行なう。なお、所定時間を１０分としたのは、暖房運転モードから停止、すなわち浴室１から退室するまでの時間を想定したことによる。
【００９９】
以上のように、本実施の形態７によれば、暖房運転の開始時に常時換気の換気風量を規定時間減少させ、暖房運転の停止から所定時間経過後に常時換気の換気風量を規定風量に変更することができる。
【０１００】
（実施の形態８）
図１４は、本実施の形態８における浴室換気乾燥装置の構成図を示す。
【０１０１】
図１４に示すように、浴室１内の空気を屋外に排出する浴室換気用送風機としての換気ファン２と、浴室１内の空気を循環させる循環用送風機としての循環ファン３と、循環させる空気を加熱する加熱装置としてのコイル４と、循環ファン３及びコイル４を選択的に駆動して暖房、換気、乾燥等の通常運転と、前記通常運転とは個別、あるいは併用する常時換気運転を切り換える制御部５と、運転あるいは停止を切換える運転スイッチ７と、停止中の運転スイッチ７の操作回数をカウントして、操作回数に応じて常時換気の換気風量を減少する運転切換手段８ｃを備えている。
【０１０２】
次に運転切換手段８ｃのフローチャートについて、図１５を参照しながら説明する。
【０１０３】
図１５に示すように、運転切換手段８ｃは、運転スイッチ７のオン操作を入力する。入力した運転スイッチ７の押下回数１回毎に常時換気風量を規定量（例えば１ｍ３／ｈ）減少するように風量を切り換える。規定量を１ｍ３／ｈとしたのは、浴室１の容積を考慮した値である。すなわち、微量であれば、使用者のスイッチの押下回数が増加し、大きな風量であれば、体感温度の変化が急激に発生するためである。
【０１０４】
以上のように、本実施の形態８によれば、運転スイッチ７の押下回数に応じて常時換気量を初期値から減少することができることとなる。
【０１０５】
なお、常時換気量を減少させるとしたが、常時換気量を増加させるとしても良い。
【０１０６】
（実施の形態９）
図１６は、本実施の形態９における浴室換気乾燥装置の構成図を示す。
【０１０７】
図１６に示すように、浴室１内の空気を屋外に排出する浴室換気用送風機としての換気ファン２と、浴室１内の空気を循環させる循環用送風機としての循環ファン３と、循環させる空気を加熱する加熱装置としてのコイル４と、循環ファン３及びコイル４を選択的に駆動して暖房、換気、乾燥等の通常運転と、前記通常運転とは個別、あるいは併用する常時換気運転を切り換える制御部５と、運転あるいは停止を切換える運転スイッチ７と、常時換気中に運転スイッチ７の連続押下時間が規定時間を超えた際に、一定時間常時換気を減少する運転切換手段８ｄを備えている。
【０１０８】
次に運転切換手段８ｄのフローチャートについて、図１７を参照しながら説明する。
【０１０９】
図１７に示すように、運転切換手段８ｄは、常時換気がされているか否かを入力する。さらに、運転スイッチ７のオンオフ操作を入力する。入力した運転スイッチ７のオン時間が規定時間（例えば２〜３秒）以上、継続して押下されて押下された場合、各常時換気中であるか否かに応じて処理を行なう。常時換気中に押下時間が規定時間以上であった場合、所定換気量（例えば１ｍ３／ｈ）常時換気量を減少させるように制御部５へ出力する。
【０１１０】
以上のように、本実施の形態９によれば、運転スイッチ７の連続押下時間に応じて常時換気量を制御することとなる。
【０１１１】
（実施の形態１０）
図１８は、本実施の形態１０における浴室換気乾燥装置の構成図を示す。
【０１１２】
図１８に示すように、浴室１内の空気を屋外に排出する浴室換気用送風機としての換気ファン２と、浴室１内の空気を循環させる循環用送風機としての循環ファン３と、循環させる空気を加熱する加熱装置としてのコイル４と、循環ファン３及びコイル４を選択的に駆動して暖房、換気、乾燥等の通常運転と、前記通常運転とは個別、あるいは併用する常時換気運転を切り換える制御部５と、運転あるいは停止を切換える運転スイッチ７と、常時換気の換気風量を減少させている際に、運転スイッチの連続押下時間が規定時間を超えた場合、常時換気の換気風量の減少させる時間を延長する運転切換手段８ｅを備えている。
【０１１３】
次に運転切換手段８ｅのフローチャートについて、図１９を参照しながら説明する。
【０１１４】
図１９に示すように、運転切換手段８ｅは、常時換気がされているか否かを入力する。さらに、運転スイッチ７のオンオフ操作を入力する。入力した運転スイッチ７のオン時間が規定時間（例えば２〜３秒）以上、継続して押下された場合、各常時換気中であるか否かに応じて処理を行なう。連続押下時間が規定時間以上であった場合、減少させる時間を所定時間（例えば５分）延長するように制御部５へ出力する。
【０１１５】
以上のように、本実施の形態１０によれば、運転スイッチ７の連続押下時間に応じて常時換気の換気風量を減少させる時間を延長することとなる。
【０１１６】
（実施の形態１１）
図２０は、本実施の形態１１における浴室換気乾燥装置の構成図を示す。
【０１１７】
図２０に示すように、浴室１内の空気を屋外に排出する浴室換気用送風機としての換気ファン２と、浴室１内の空気を循環させる循環用送風機としての循環ファン３と、循環させる空気を加熱する加熱装置としてのコイル４と、循環ファン３及びコイル４を選択的に駆動して暖房、換気、乾燥等の通常運転と、前記通常運転とは個別、あるいは併用する常時換気運転を切り換える制御部５と、常時換気の換気風量を減少させている際に、常時換気の換気風量を規定風量に強制的に変更する風量復帰手段としての復帰スイッチ１０を備えている。復帰スイッチ１０は、使用者が押下した際に制御部５に対して接点信号を出力する。出力した復帰スイッチ１０からの接点信号に応じて、制御部５は換気ファン２を規定風量にて運転させる。
【０１１８】
以上のように、本実施の形態１１によれば、復帰スイッチ１０の押下により換気ファン２を駆動させることとなる。
【産業上の利用可能性】
【０１１９】
浴室の暖房、換気、乾燥機能と常時換気機能を両立、かつ同時性を確保することを可能とすることができるため、宿泊施設等の設備に適用し、サービス性を向上させる用途にも適用できる。
【図面の簡単な説明】
【０１２０】
【図１】本発明の実施の形態１の浴室換気乾燥装置の構成図
【図２】同冷風防止手段６の制御フローチャート
【図３】本発明の実施の形態２の浴室換気乾燥装置の構成図
【図４】同冷風防止手段６ｂの制御フローチャート
【図５】本発明の実施の形態３の浴室換気乾燥装置の構成図
【図６】同運転切換手段８の制御フローチャート
【図７】本発明の実施の形態４の浴室換気乾燥装置の構成図
【図８】同運転切換手段８ｂの制御フローチャート
【図９】本発明の実施の形態５の浴室換気乾燥装置の構成図
【図１０】本発明の実施の形態６の浴室換気乾燥装置の構成図
【図１１】同冷風防止手段６ｃの制御フローチャート
【図１２】本発明の実施の形態７の浴室換気乾燥装置の構成図
【図１３】同冷風防止手段６ｄの制御フローチャート
【図１４】本発明の実施の形態８の浴室換気乾燥装置の構成図
【図１５】同運転切換手段８ｃの制御フローチャート
【図１６】本発明の実施の形態９の浴室換気乾燥装置の構成図
【図１７】同運転切換手段８ｄの制御フローチャート
【図１８】本発明の実施の形態１０の浴室換気乾燥装置の構成図
【図１９】同運転切換手段８ｅの制御フローチャート
【図２０】本発明の実施の形態１１の浴室換気乾燥装置の構成図
【図２１】従来の特許文献１における浴室空調装置の構成図
【符号の説明】
【０１２１】
１    浴室
２    換気ファン
３    循環ファン
４    コイル
５    制御部
６    冷風防止手段
６ｂ  冷風防止手段
６ｃ  冷風防止手段
６ｄ  冷風防止手段
７    運転スイッチ
８    運転切換手段
８ｂ  運転切換手段
８ｃ  運転切換手段
８ｄ  運転切換手段
８ｅ  運転切換手段
９    強制スイッチ
１０  復帰スイッチ
【図１】
2007205626.tif 000003
【図２】
2007205626.tif 000004
【図３】
2007205626.tif 000005
【図４】
2007205626.tif 000006
【図５】
2007205626.tif 000007
【図６】
2007205626.tif 000008
【図７】
2007205626.tif 000009
【図８】
2007205626.tif 000010
【図９】
2007205626.tif 000011
【図１０】
2007205626.tif 000012
【図１１】
2007205626.tif 000013
【図１２】
2007205626.tif 000014
【図１３】
2007205626.tif 000015
【図１４】
2007205626.tif 000016
【図１５】
2007205626.tif 000017
【図１６】
2007205626.tif 000018
【図１７】
2007205626.tif 000019
【図１８】
2007205626.tif 000020
【図１９】
2007205626.tif 000021
【図２０】
2007205626.tif 000022
【図２１】
2007205626.tif 000023